(57)【要約】【課題】原稿を読み取るための光源によって構成部品を加熱する場合よりも短時間で結露を除去することが可能な画像読取装置及び画像形成装置を提供する。【解決手段】画像読取装置１は、原稿Ｐを照射する照射光を発する可視光ＬＥＤ２４１と、可視光ＬＥＤ２４１の照射光よりも加熱効果の高い光を発する赤外ＬＥＤ２４２と、可視光ＬＥＤ２４１の照射光により原稿Ｐの画像を読み取る画像読取部と、画像読取部による原稿Ｐの読み取り時に可視光ＬＥＤ２４１を発光させ、画像読取部による原稿Ｐの読み取り時以外に赤外ＬＥＤ２４２を発光させる制御部２８とを有する。【選択図】図２
2011029806.tif 000002
【特許請求の範囲】
【請求項１】
原稿を照射する照射光を発する第１の光源と、
前記第１の光源の照射光よりも加熱効果の高い光を発する第２の光源と、
前記第１の光源の照射光により前記原稿の画像を読み取る画像読取部と、
前記画像読取部による前記原稿の読み取り時に前記第１の光源を発光させ、前記画像読取部による前記原稿の読み取り時以外に前記第２の光源を発光させる制御部とを備えた画像読取装置。
【請求項２】
前記第１の光源及び前記第２の光源を保持する保持部材と、
入射面から入射した光を前記原稿が配置される位置に導く導光部材と、
前記導光部材の前記入射面に前記第１の光源の照射光が入射する第１の位置、及び前記導光部材の前記入射面に前記第２の光源の光が入射する第２の位置に前記保持部材を前記導光部材に対して相対的に移動させる移動部とを有する請求項１に記載の画像読取装置。
【請求項３】
前記第２の光源が発する光は、赤外線を含む不可視光である請求項１又は２に記載の画像読取装置。
【請求項４】
原稿を照射する照射光を発する第１の光源と、
前記第１の光源の照射光よりも加熱効果の高い光を発する第２の光源と、
前記第１の光源の照射光により前記原稿の画像を読み取る画像読取部と、
前記画像読取部による前記原稿の読み取り時に前記第１の光源を発光させ、前記画像読取部による前記原稿の読み取り時以外に前記第２の光源を発光させる制御部と、
前記画像読取部で読み取った前記画像の情報に基づいて記録媒体に画像を形成する画像形成部とを備えた画像形成装置。
【発明の詳細な説明】
【技術分野】
【０００１】
本発明は、画像読取装置及び画像形成装置に関する。
【背景技術】
【０００２】
原稿の画像を読み取る画像読取装置では、寒冷時に原稿が置かれるプラテンガラスや光電変換素子、あるいは光電変換素子に原稿の反射光を導くミラー等に結露が発生して画像が正常に読み取れなくなることを防止するため、これら構成部品を加熱することが行われている（特許文献１参照）。
【０００３】
特許文献１に記載の画像読取装置では、電源投入時に原稿を読み取るための光源を点灯することで、光学走査装置の構成部品の表面温度を上昇させるようにしている。
【先行技術文献】
【特許文献】
【０００４】
【特許文献１】特開平１０−３０８８５３号公報
【発明の概要】
【発明が解決しようとする課題】
【０００５】
本発明の目的は、原稿を読み取るための光源によって構成部品を加熱する場合よりも短時間で結露を除去することが可能な画像読取装置及び画像形成装置を提供することにある。
【課題を解決するための手段】
【０００６】
［１］原稿を照射する照射光を発する第１の光源と、前記第１の光源の照射光よりも加熱効果の高い光を発する第２の光源と、前記第１の光源の照射光により前記原稿の画像を読み取る画像読取部と、前記画像読取部による前記原稿の読み取り時に前記第１の光源を発光させ、前記画像読取部による前記原稿の読み取り時以外に前記第２の光源を発光させる制御部とを備えた画像読取装置。
【０００７】
［２］前記第１の光源及び前記第２の光源を保持する保持部材と、入射面から入射した光を前記原稿が配置される位置に導く導光部材と、前記導光部材の前記入射面に前記第１の光源の照射光が入射する第１の位置、及び前記導光部材の前記入射面に前記第２の光源の光が入射する第２の位置に前記保持部材を前記導光部材に対して相対的に移動させる移動部とを有する前記［１］に記載の画像読取装置。
【０００８】
［３］前記第２の光源が発する光は、赤外線を含む不可視光である前記［１］又は［２］に記載の画像読取装置。
【０００９】
［４］原稿を照射する照射光を発する第１の光源と、前記第１の光源の照射光よりも加熱効果の高い光を発する第２の光源と、前記第１の光源の照射光により前記原稿の画像を読み取る画像読取部と、前記画像読取部による前記原稿の読み取り時に前記第１の光源を発光させ、前記画像読取部による前記原稿の読み取り時以外に前記第２の光源を発光させる制御部と、前記画像読取部で読み取った前記画像の情報に基づいて記録媒体に画像を形成する画像形成部とを備えた画像形成装置。
【発明の効果】
【００１０】
請求項１，４に記載の発明によれば、原稿を読み取るための光源により構成部品を加熱する場合よりも短時間で結露を除去することができる。
【００１１】
請求項２に記載の発明によれば、導光部材により第２の光源の光を原稿が配置される位置に導くことができる。
【００１２】
請求項３に記載の発明によれば、赤外線を含む不可視光により結露を除去することができる。
【図面の簡単な説明】
【００１３】
【図１】図１は、本発明の第１の実施の形態に係る画像読取装置を有する画像形成装置の外観図である。
【図２】図２は、本発明の第１の実施の形態に係る画像読取装置の構成を示す概略図である。
【図３】図３は、本発明の第１の実施の形態に係る画像読取装置の構成を示す概略図である。
【図４】図４は、本発明の第１の実施の形態に係る発光部の構成を示す概略図である。
【図５】図５は、本発明の第２の実施の形態に係る画像読取装置の構成を示す概略図である。
【図６】図５は、本発明の第２の実施の形態に係る発光部の構成を示す概略図である。
【発明を実施するための形態】
【００１４】
［第１の実施の形態］
（画像形成装置の全体構成）
図１は、本発明の第１の実施の形態に係る画像読取装置を有する画像形成装置の外観図である。画像形成装置１００は、画像読取装置１と、画像形成部３と、トレイ４と、支持部５から大略構成されている。
【００１５】
画像読取装置１は、自動給紙部１０と読取部２０とを有している。自動給紙部１０は、読取部２０に対して開閉可能に、読取部２０の上部に設けられている。自動給紙部１０には、読取部２０で読み取られる原稿を置くための給紙トレイ１１、及び給紙トレイ１１から後述の原稿搬送機構によって搬送された原稿が排出される排紙台１２が設けられている。
【００１６】
読取部２０は、収容部としてのケース２０ａの内部に後述する画像読取部等を有して構成されている。ケース２０ａの正面には、利用者が各種の設定等を行う操作パネル２１０及び複数の操作ボタン２１１を有する操作部２１が設けられている。
【００１７】
画像形成部３は、画像読取装置１の下側に配置されている。画像形成部３の上面には用紙排出台３２が設けられ、画像読取装置１で読み取った原稿の画像情報に基づく印刷が行われた記録媒体としての用紙が用紙排出部３１から用紙排出台３２に排出される。
【００１８】
トレイ４は、大きさ等の異なる複数の用紙を格納する第１トレイ部４１，第２トレイ部４２，及び第３トレイ部４３を有して構成され、画像形成部３での印刷に必要な用紙を供給する。
【００１９】
支持部５は、画像読取装置１を画像形成部３との間に間隔を置いて支持している。支持部５には、画像読取装置１と画像形成部３と間で情報の受け渡しを行うための図略の通信線が収容されている。
【００２０】
（自動給紙部１０及び読取部２０の構成）
図２は、自動給紙部１０及び読取部２０の内部構造を示す。画像読取装置１は、自動給紙部１０の給紙トレイ１１に置かれた原稿Ｐを排紙台１２に搬送しながら読み取る第１の読取モードと、プラテンガラスからなる原稿台２０１に置かれた原稿を読み取る第２の読取モードとを、利用者の操作に応じて切り替え可能である。図２は、第１の読取モードにおける原稿読み取り時の状態を示している。
【００２１】
自動給紙部１０は、原稿分離ロール１３，原稿搬送ロール１４，読取ロール１５及び排出ロール１６から構成される原稿搬送機構を有している。原稿Ｐは、読取部２０のケース２０ａの上面に設けられたプラテンガラスからなる窓部２０２に面する位置では副走査方向に移動する。窓部２０２と原稿台２０１との間には、原稿Ｐを案内するガイド部２０３が設けられている。
【００２２】
読取部２０は、収容空間２０ｂに、原稿Ｐを照射する照射光を発する発光部２４と、発光部２４の光を原稿Ｐが配置される位置に導く導光部としての導光体２５及びリフレクタ２６０と、原稿Ｐの画像を読み取るための第１ミラー２６１，第２ミラー２６２，第３ミラー２６３、レンズ２６４，及び画像センサ２６５と、発光部２４の制御を行う制御部２８と、温度センサ２８１とを有している。発光部２４の構成の詳細については後述する。
【００２３】
発光部２４，導光体２５，リフレクタ２６０，及び第１ミラー２６１は、第１キャリッジ２７０に固定され、第１キャリッジ２７０と共に副走査方向に移動可能である。また、第２ミラー２６２及び第３ミラー２６３は、第２キャリッジ２７２に固定され、第２キャリッジ２７２と共に副走査方向に移動可能である。
【００２４】
発光部２４の照射光に照射された原稿Ｐの反射光は、第１ミラー２６１，第２ミラー２６２，及び第３ミラー２６３によってレンズ２６４に導かれる。レンズ２６４を通過した光は画像センサ２６５上に結像し、画像情報として読み取られる。第１ミラー２６１，第２ミラー２６２，第３ミラー２６３，レンズ２６４及び画像センサ２６５は、画像読取部を構成する。
【００２５】
読取部２０はまた、第１キャリッジ２７０及び第２キャリッジ２７２を副走査方向に移動させる駆動機構を有している。駆動機構は、モータ２７１，第２キャリッジ２７２，固定プーリ２７３及びワイヤ２７４等から構成される。この駆動機構では、制御部２８から供給されるモータ電流によってケース２０ａの側面２０ｃに固定されたモータ２７１を回転させることにより、その回転力をモータ２７１の回転軸に設けられたプーリ２７１ａ，第２キャリッジ２７２に設けられた大径プーリ２７２ａと小径プーリ２７２ｂ，及びケース２０ａの側面２０ｄに固定された固定プーリ２７３に架け回されたワイヤ２７４を介して第１キャリッジ２７０の移動力に変換する。ワイヤ２７４は固定部２７０ａで第１キャリッジ２７０に固定されている。
【００２６】
ワイヤ２７４の一端部２７４ａは側面２０ｄの固定プーリ２７３の近傍に固定され、ワイヤ２７４の他端部２７４ｂは固定プーリ２７３とモータ２７１との間の位置でケース２０ａに対して移動不能に固定されている。ワイヤ２７４は、一端部２７４ａから順に、第２キャリッジ２７２の小径プーリ２７２ｂ、固定プーリ２７３、モータ２７１のプーリ２７１ａ、第２キャリッジ２７２の大径プーリ２７２ａに架け回されている。
【００２７】
第１キャリッジ２７０及び第２キャリッジ２７２は、図略のレールにより副走査方向に案内される。モータ２７１を一方向に回転させると、第１キャリッジ２７０は副走査方向の一方に移動し、第２キャリッジ２７２は第１キャリッジ２７０と同方向に半分の量だけ移動する。また、モータ２７１を逆方向に回転させると、第１キャリッジ２７０は副走査方向の逆方向に移動し、第２キャリッジ２７２は第１キャリッジ２７０と同方向に半分の量だけ移動する。
【００２８】
（第１の読取モードによる原稿の読み取り時の動作）
第１の読取モードでは、次のように画像読取装置１が動作する。
【００２９】
利用者が給紙トレイ１１に原稿Ｐを置いて操作部２１により原稿の読み取りを起動すると、自動給紙部１０の原稿搬送機構が作動し、原稿分離ロール１３，原稿搬送ロール１４，読取ロール１５及び排出ロール１６が原稿を搬送する方向に回転する。原稿Ｐは、各ロールに案内され、排紙台１２まで搬送される。
【００３０】
原稿Ｐは、読取ロール１５と窓部２０２との間を通過する際に、発光部２４の照射光によって照射される。原稿Ｐの表面で反射した光は、第１ミラー２６１，第２ミラー２６２，第３ミラー２６３によってレンズ２６４に導かれ、画像センサ２６５に結像し、画像情報として読み取られる。この間、駆動機構は第１キャリッジ２７０を図２に示す第１ホームポジションの位置（窓部２０２から発光部２４の光が原稿を照射する位置）に固定する。
【００３１】
１枚の原稿Ｐが窓部２０２の読取ロール１５を通過する間に読み取られた画像情報は、原稿Ｐの１枚分の画像情報ファイルとして図略の記憶部に記憶される。記憶部に記憶された画像情報は、画像形成部３に出力され、トレイ４に格納された用紙に印刷される。
【００３２】
（第２の読取モードによる原稿の読み取り時の動作）
図３は、第２の読取モードによる原稿の読み取り時の自動給紙部１０及び読取部２０の内部構造を示す。利用者が自動給紙部１０を読取部２０の上方に開けて原稿台２０１に原稿Ｐを置き、自動給紙部１０を閉めて操作部２１により原稿の読み取りを起動すると、駆動機構は第１キャリッジ２７０を図４に実線で示す第２ホームポジションの位置（原稿台２０１の副走査方向の端部から発光部２４の光が原稿を照射する位置）に移動させる。
【００３３】
次に駆動機構は、第１キャリッジ２７０を副走査方向に一定の速度で移動させる。この移動に伴って発光部２４の光によって照射される原稿Ｐの位置も副走査方向に移動する。この間、原稿Ｐの表面で発光部２４の光が反射した反射光は、第１ミラー２６１，第２ミラー２６２，第３ミラー２６３によってレンズ２６４に導かれ、画像センサ２６５に結像し、画像情報として読み取られる。
【００３４】
原稿Ｐの読み取り終了位置（図３に二点鎖線で示す）まで第１キャリッジ２７０が移動すると、駆動機構は第２ホームポジションの位置まで、第１キャリッジ２７０を原稿Ｐの読み取り中よりも高速で移動させる。なお、原稿Ｐの読み取り終了位置は原稿Ｐの大きさによって異なる。
【００３５】
第１キャリッジ２７０が第２ホームポジションの位置から読み取り終了位置まで移動する間に読み取られた画像情報は、原稿Ｐの１枚分の画像情報ファイルとして図略の記憶部に記憶される。記憶部に記憶された画像情報は、必要に応じて画像形成部３に読み出され、トレイ４に格納された用紙に印刷される。
【００３６】
（発光部２４の構成）
図４（ａ）及び図４（ｂ）は、発光部２４の構成を示す。発光部２４は、保持部材としての基板２４０と、基板２４０に実装された第１の光源としての複数の可視光ＬＥＤ２４１と、同じく基板２４０に実装された第２の光源としての複数の赤外ＬＥＤ２４２と、基板２４０を移動させる移動部としての一対のソレノイド２９と、導光部材としての導光体２５（図２参照）を備えている。
【００３７】
基板２４０は、主走査方向に延びるように配置され、長手方向の両端部２４０ａが第１キャリッジ２７０に設けられた一対のレール２７に摺動可能に嵌合されている。
【００３８】
一対のソレノイド２９は、本体部２９０から突出したシャフト２９１の先端部が基板２４０の長手方向に直交する方向の端面２４０ｂに接するように第１キャリッジ２７０に固定されている。ソレノイド２９は、制御部２８から供給される電流により、本体部２９０に対してシャフト２９１が進退移動するように構成されている。基板２４０はシャフト２９１の進退移動に伴ってレール２７に沿って移動する。
【００３９】
基板２４０には、主走査方向に沿って複数の可視光ＬＥＤ２４１が配置されている。また、可視光ＬＥＤ２４１の列に並んで複数の赤外ＬＥＤ２４２が配置されている。各可視光ＬＥＤ２４１及び各赤外ＬＥＤ２４２は、図略の導線により制御部２８に接続され、制御部２８から供給される電流によって発光する。
【００４０】
可視光ＬＥＤ２４１は原稿Ｐの読み取りに適した波長の可視光（例えば白色光）を発する。赤外ＬＥＤ２４２は、人間の目では認識することのできない、赤外線を含む不可視光を発する。赤外ＬＥＤ２４２が発する光は、その光を受けた物体を加熱する加熱効果が、可視光ＬＥＤ２４１が発する照射光よりも高い。
【００４１】
導光体２５は、可視光ＬＥＤ２４１又は赤外ＬＥＤ２４２に入射面２５ａが対向するように、第１キャリッジ２７０に固定されている。導光体２５は透明樹脂（例えばＰＭＭＡ；ポリメタクリル酸メチル樹脂）やガラス等の光透過性を有する材料で形成された四角柱状の透明体である。導光体２５は、入射面２５ａから入射した光が放射面２５ｂから放射され、原稿Ｐが配置される位置に導かれるように第１キャリッジ２７０への取り付け位置及び角度が設定されている。また、リフレクタ２６０は、導光体２５の側面２５ｃで内部反射して放射面２５ｂから放射された光を原稿Ｐが配置される位置に導くように第１キャリッジ２７０への取り付け位置及び角度が設定されている。
【００４２】
図４（ａ）に示すように、ソレノイド２９のシャフト２９１の突出量が小さい状態では、可視光ＬＥＤ２４１の発光面が導光部２５の入射面２５ａに対向する。この状態の基板２４０の位置を第１の位置とする。また、図４（ｂ）に示すように、ソレノイド２９のシャフト２９１の突出量が大きい状態では、赤外ＬＥＤ２４２の発光面が導光部２５の入射面２５ａに対向する。この状態の基板２４０の位置を第２の位置とする。
【００４３】
（発光部２４の動作）
前述の画像読取部で原稿Ｐの画像を読み取る際には、ソレノイド２９により基板２４０が第１の位置に位置決めされ、可視光ＬＥＤ２４１に制御部２８から電流が供給され、可視光ＬＥＤ２４１が発光する。可視光ＬＥＤ２４１の照射光は、導光体２５に導かれて原稿Ｐの読み取り部位を照射する。画像読取部は、可視光ＬＥＤ２４１の照射光が原稿Ｐで反射した反射光により原稿Ｐの画像を読み取る。
【００４４】
画像読取部が原稿Ｐの画像を読み取る際には、可視光ＬＥＤ２４１の照射光が、プラテンガラスからなる窓部２０２又は原稿台２０１を透過し、原稿Ｐで反射した反射光が窓部２０２又は原稿台２０１，第１ミラー２６１，第２ミラー２６２，第３ミラー２６３，レンズ２６４を介して画像センサ２６５に結像する。これらの部材のいずれかに結露が発生していると、原稿Ｐの画像を正常に読み取ることはできない。
【００４５】
そこで、制御部２８は、画像読取装置１の電源入り後に温度センサ２８１によって検出した収容空間２０ｂの温度が第１の所定値（例えば５℃）以下である場合には、原稿Ｐの画像を読み取る前に、次に述べる加熱動作を行う。
【００４６】
（加熱動作）
制御部２８は、温度センサ２８１により収容空間２０ｂの温度が所定の閾値以下であることを検知すると、駆動機構により第１キャリッジ２７０を図２に示す第１ホームポジションの位置に移動させ、ソレノイド２９によって基板２４０を第２の位置に位置決めし、赤外ＬＥＤ２４２に通電する。すると赤外ＬＥＤ２４２から発した光が導光体２５によって窓部２０２に導かれ、その周辺部を加熱する。また、赤外ＬＥＤ２４２から発した光の反射光が第１ミラー２６１，第２ミラー２６２，第３ミラー２６３，レンズ２６４を介して画像センサ２６５に導かれ、これらの部材を加熱する。
【００４７】
次に制御部２８は、駆動機構のモータ２７１を制御して、第１キャリッジ２７０を図３に実線で示す第２ホームポジションの位置を経て、図３に二点鎖線で示す原稿Ｐの読み取り終了位置まで移動させる。この間、基板２４０は第２の位置に位置決めされ、赤外ＬＥＤ２４２は通電状態である。
【００４８】
この加熱動作により、窓部２０２，原稿台２０１，第１ミラー２６１，第２ミラー２６２，第３ミラー２６３，レンズ２６４及び画像センサ２６５の各部材が加熱され、結露が除去される。制御部２８が温度センサ２９により検出した温度が第１の所定値よりも高い第２の所定値（例えば１０℃）以上になれば、制御部２８はソレノイド２９によって基板２４０を第１の位置に位置決めし、赤外ＬＥＤ２４２を消灯して加熱動作を終了する。なお、温度センサ２８１は、赤外ＬＥＤ２４２の光を直接受けない部位に設けられている。
【００４９】
赤外ＬＥＤ２４２が発する光は可視光ＬＥＤ２４１が発する照射光よりも加熱効果が高く、可視光ＬＥＤ２４１によって各部材を加熱する場合よりも短時間で結露が除去される。また、赤外ＬＥＤ２４２が発する光は不可視であり、原稿Ｐの読み取り時でない時に発光していても、利用者に装置の故障と誤認されない。
【００５０】
［第２の実施の形態］
図５は、本発明の第２の実施の形態に係る画像読取装置の構成を示す。本実施の形態に係る画像読取装置１は、第１の実施の形態のものと発光部２４Ａ及びその周辺部の構成が異なっており、他の構成については共通するので、共通する構成については図２と同一の符号を付して説明を省略する。
【００５１】
発光部２４Ａは、主走査方向に延びる棒状導光部材２４３と、棒状導光部材２４３の一端面に照射光が入射するように配置された第１の光源としての可視光ＬＥＤ２４１Ａを有する。可視光ＬＥＤ２４１Ａの照射光は棒状導光部材２４３によって主走査方向に導かれ、原稿Ｐが配置される位置を照射する。
【００５２】
図６は、発光部２４Ａを副走査方向から見た状態を示す。棒状導光部材２４３の一端面２４３ａには可視光ＬＥＤ２４１Ａが対向し、棒状導光部材２４３の他端面２４３ｂには第２の光源としての赤外ＬＥＤ２４２Ａが対向している。
一端面２４３ａ及び他端面２４３ｂから入射した光は外周面２４３ｃから放射される。
【００５３】
可視光ＬＥＤ２４１Ａは第１キャリッジ２７０に固定された基板２４０Ａに実装され、図略の導線により制御部２８に接続されている。また、赤外ＬＥＤ２４２Ａは第１キャリッジ２７０に固定された基板２４０Ｂに実装され、図略の導線により制御部２８に接続されている。棒状導光部材２４３は図略の保持部材により第１キャリッジ２７０に固定されている。
【００５４】
原稿Ｐの読み取り時には、可視光ＬＥＤ２４１Ａが発光し、窓部２０２又は原稿台２０１から原稿Ｐを照射する。原稿Ｐで反射した反射光は、第１ミラー２６１，第２ミラー２６２，第３ミラー２６３，レンズ２６４及び画像センサ２６５からなる画像読取部で画像情報として読み取られる。
【００５５】
（加熱動作）
制御部２８は、温度センサ２８１により収容空間２０ｂの温度が第１の所定値以下であることを検知すると、赤外ＬＥＤ２４２Ａを発光させた状態で駆動機構のモータ２７１を制御して、第１キャリッジ２７０を副走査方向に移動させる。赤外ＬＥＤ２４２Ａから発した赤外線を含む不可視光及びその反射光は、窓部２０２又は原稿台２０１，第１ミラー２６１，第２ミラー２６２，第３ミラー２６３，レンズ２６４を介して画像センサ２６５に導かれ、これら各部材が加熱され、結露が除去される。
【００５６】
制御部２８が温度センサ２９により検出した温度が第２の所定値以上になれば、制御部２８は赤外ＬＥＤ２４２Ａを消灯して加熱動作を終了する。
【００５７】
赤外ＬＥＤ２４２Ａが発する光は可視光ＬＥＤ２４１Ａが発する照射光よりも加熱効果が高く、可視光ＬＥＤ２４１Ａによって各部材を加熱する場合よりも短時間で結露が除去される。
【００５８】
［第３の実施の形態］
上記各実施の形態では、赤外ＬＥＤ２４２又は赤外ＬＥＤ２４２Ａを結露の除去のために用いたが、本実施の形態では、赤外ＬＥＤ２４２又は赤外ＬＥＤ２４２Ａを原稿Ｐに印刷された不可視画像を読み取るように制御部２８が読取部２０及び発光部２４を制御する。不可視画像は近年、不正コピー防止や偽造防止のために利用が拡大しており、例えば特開２００３−１８６２３８号公報に開示されているように、ポリエステルを主成分とする結着樹脂と、ＣｕＯ及びＰ２Ｏ５を含む無機材料粒子とからなる近赤外線吸収部材を含有するトナーで印刷されたものである。
【００５９】
不可視画像が印刷された原稿Ｐを読み取る場合には、赤外ＬＥＤ２４２又は赤外ＬＥＤ２４２Ａによって原稿Ｐを照射し、原稿Ｐでの反射光によって上記の画像読取部で不可視画像を読み取る。
【００６０】
（他の実施の形態）
なお、本発明は、上記各実施の形態に限定されず、その要旨を変更しない範囲内で種々な変形が可能である。例えば、温度センサ２８１を設けず、画像読取装置１の電源入り後の所定の時間帯（例えば１０秒間）は前述の加熱動作を行うようにしてもよい。
【００６１】
上記第１及び第２の実施の形態では、制御部２８が加熱動作の終了時に赤外ＬＥＤ２４２又は赤外ＬＥＤ２４２Ａを消灯したが、加熱動作の終了後、可視光ＬＥＤ２４１又は可視光ＬＥＤ２４１Ａの発光による原稿Ｐの読み取り時にも、赤外ＬＥＤ２４２又は赤外ＬＥＤ２４２Ａを発光させておいてもよい。また、制御部２８は、可視光ＬＥＤ２４１又は可視光ＬＥＤ２４１Ａの発光による原稿Ｐの読み取り後に赤外ＬＥＤ２４２又は赤外ＬＥＤ２４２Ａを発光させ、結露を予防又は除去するようにしてもよい。
【００６２】
上記第１及び第２の実施の形態では、画像読取部がケース２０ａに対する原稿Ｐの副走査方向への移動中に原稿Ｐの画像を読み取る第１の読取モードと、画像読取部が原稿台２０１に置かれた原稿Ｐの画像を読み取る第２の読取モードとを、利用者の操作に応じて切り替え可能としたが、第１及び第２の読取モードのうち、一方のみを有する画像読取装置又は画像形成装置に本発明を適用してもよい。
【００６３】
原稿Ｐを読み取った結果として記憶部に記憶された画像情報ファイルは、画像形成部３に出力される他、画像読取装置１に接続された通信線を通じて他のコンピュータ等に読み出されるようにしてもよい。また、画像情報ファイルを読取部２０に着脱可能な記憶媒体に記憶するようにしてもよい。
【符号の説明】
【００６４】
１・・・画像読取装置、１０・・・自動給紙部、１００・・・画像形成装置、１１・・・給紙トレイ、１２・・・排紙台、１３・・・原稿分離ロール、１４・・・原稿搬送ロール、１５・・・読取ロール、１６・・・排出ロール、２０・・・読取部、２０１・・・原稿台、２０２・・・窓部、２０３・・・ガイド部、２０ａ・・・ケース、２０ｂ・・・収容空間、２０ｃ・・・側面、２０ｄ・・・側面、２１・・・操作部、２１０・・・操作パネル、２１１・・・操作ボタン、２４，２４Ａ・・・発光部、２４０・・・基板、２４０Ａ，２４０Ｂ・・・基板、２４０ａ・・・端部、２４０ｂ・・・端面、２４１，２４１Ａ・・・可視光ＬＥＤ、２４２，２４２Ａ・・・赤外ＬＥＤ、２４３・・・棒状導光部材、２４３ａ・・・一端面、２４３ｂ・・・他端面、２４３ｃ・・・外周面、２５・・・導光体、２５ａ・・・入射面、２６０・・・リフレクタ、２６１・・・第１ミラー、２６２・・・第２ミラー、２６３・・・第３ミラー、２６４・・・レンズ、２６５・・・画像センサ、２７・・・レール、２７０・・・第１キャリッジ、２７０ａ・・・固定部、２７１・・・モータ、２７１ａ・・・プーリ、２７２・・・第２キャリッジ、２７２ａ・・・大径プーリ、２７２ｂ・・・小径プーリ、２７３・・・固定プーリ、２７４・・・ワイヤ、２７４ａ・・・一端部、２７４ｂ・・・他端部、２８・・・制御部、２８１・・・温度センサ、２９・・・ソレノイド、２９０・・・本体部、２９１・・・シャフト、３・・・画像形成部、３１・・・用紙排出部、３２・・・用紙排出台、４・・・トレイ、４１・・・第１トレイ部、４２・・・第２トレイ部、４３・・・第３トレイ部、５・・・支持部、Ｐ・・・原稿
【図１】
2011029806.tif 000003
【図２】
2011029806.tif 000004
【図３】
2011029806.tif 000005
【図４】
2011029806.tif 000006
【図５】
2011029806.tif 000007
【図６】
2011029806.tif 000008